(57)【要約】      （修正有）【課題】ユーザの操作を伴わずにアプリケーションが利用不能であること及び推奨アプリケーションを報知できる携帯端末及びアイコン表示方法を提供する。【解決手段】携帯端末１０では、アプリケーションを提供する情報配信サーバ２０にサービスが稼働中か否かの確認要求情報を送信し、サービスが停止中である場合に推奨配信サーバ３０から推奨アプリケーションに関する推奨情報を受信する。そして、携帯端末１０では、受信した推奨情報に基づき、表示部１０６においてアプリケーションのアイコンの領域内に推奨アプリケーションのアイコンを表示する。したがって、携帯端末１０では、ユーザの操作を伴わずにアプリケーションが利用不能であること及び推奨アプリケーションを報知できる。【選択図】図１
2015201076.tif 000002
【特許請求の範囲】
【請求項１】
アプリケーションに対応するアイコンを表示する表示手段を備えた携帯端末であって、
前記アプリケーションを提供する情報配信サーバに対し、サービスが稼働中か否かの確認を要求する確認要求情報を送信する確認要求情報送信手段と、
前記確認要求情報の送信に応じて前記情報配信サーバから稼働状態に関する状態情報を受信する状態情報受信手段と、
前記状態情報を参照し、前記情報配信サーバが停止中である場合に、前記携帯端末の通信事業者が管理する推奨配信サーバに対し、前記アプリケーションの代替となる推奨アプリケーションを要求する代替要求情報を送信する代替要求情報送信手段と、
前記代替要求情報の送信に応じて前記推奨配信サーバから前記推奨アプリケーションに関する推奨情報を受信する推奨情報受信手段と、
前記推奨情報を参照し、前記表示手段において前記アプリケーションのアイコンの領域内に前記推奨アプリケーションのアイコンを表示する表示制御手段と、を備える携帯端末。
【請求項２】
前記表示制御手段は、前記アプリケーションのアイコンの表側の一部に前記推奨アプリケーションのアイコンを表示する請求項１記載の携帯端末。
【請求項３】
前記表示制御手段は、前記アプリケーションのアイコンの一部を裏面表示し、当該裏面に前記推奨アプリケーションのアイコンを表示する請求項１記載の携帯端末。
【請求項４】
前記表示制御手段は、前記アプリケーションのアイコンと前記推奨アプリケーションのアイコンとを所定時間ごとに切り替えて表示する請求項１記載の携帯端末。
【請求項５】
前記表示手段は、タッチパネルディスプレイであり、
前記表示制御手段は、前記アプリケーションのアイコンにフリック入力がなされたときに前記アプリケーションのアイコンと前記推奨アプリケーションのアイコンとを切り替える請求項１〜４のいずれか一項記載の携帯端末。
【請求項６】
前記表示制御手段は、前記推奨アプリケーションのアイコンを表示する際、前記アプリケーションのアイコンをグレーアウト表示する請求項１〜５のいずれか一項記載の携帯端末。
【請求項７】
アプリケーションに対応するアイコンを表示する表示手段を備えた携帯端末におけるアイコン表示方法であって、
確認要求情報送信手段が、前記アプリケーションを提供する情報配信サーバに対し、サービスが稼働中か否かの確認を要求する確認要求情報を送信する確認要求情報ステップと、
状態情報受信手段が、前記確認要求情報の送信に応じて前記情報配信サーバから稼働状態に関する状態情報を受信する状態情報受信ステップと、
代替要求情報送信手段が、前記状態情報を参照し、前記情報配信サーバが停止中である場合に、前記携帯端末の通信事業者が管理する推奨配信サーバに対し、前記アプリケーションの代替となる推奨アプリケーションを要求する代替要求情報を送信する代替要求情報送信ステップと、
推奨情報受信手段が、前記代替要求情報の送信に応じて前記推奨配信サーバから前記推奨アプリケーションに関する推奨情報を受信する推奨情報受信ステップと、
表示制御手段が、前記推奨情報を参照し、前記表示手段において前記アプリケーションのアイコンの領域内に前記推奨アプリケーションのアイコンを表示する表示制御ステップと、を備えるアイコン表示方法。
【発明の詳細な説明】
【技術分野】
【０００１】
本発明は、携帯端末及びアイコン表示方法に関する。
【背景技術】
【０００２】
現在、携帯端末の多くにはタッチパネルディスプレイが実装されている。このような携帯端末のユーザインターフェイスでは、ユーザがタッチパネルディスプレイ上に表示されるアイコンに触れることで、当該アイコンが示すアプリケーションが起動するようになっている。ユーザインターフェイスに関する技術としては、例えば特許文献１に記載の表示システムでは、複数の携帯端末の間で利用されたアプリケーションを集計し、その中から特定のアプリケーションのアイコンを推奨アプリケーションとして携帯端末の表示部に表示する。
【先行技術文献】
【特許文献】
【０００３】
【特許文献１】特開２０１２−２０３５３７号公報
【発明の概要】
【発明が解決しようとする課題】
【０００４】
ところで、携帯端末で利用されるアプリケーションには、ネットワーク上の情報配信サーバとの通信を必要とするものがある。このようなアプリケーションは、例えば情報配信サーバがメンテナンスなどを理由に停止している場合には利用できず、ユーザの利便性が失われることがある。そこで、代替のアプリケーションとして推奨アプリケーションをユーザに提示することが考えられるが、推奨アプリケーションの表示までにユーザの操作を伴うと、ユーザの利便性が損なわれてしまうおそれがある。
【０００５】
本発明は、上記課題の解決のためになされたものであり、ユーザの操作を伴わずにアプリケーションが利用不能であること及び推奨アプリケーションを報知できる携帯端末及びアイコン表示方法を提供することを目的とする。
【課題を解決するための手段】
【０００６】
上記課題の解決のため、本発明に係る携帯端末は、アプリケーションに対応するアイコンを表示する表示手段を備えた携帯端末であって、アプリケーションを提供する情報配信サーバに対し、サービスが稼働中か否かの確認を要求する確認要求情報を送信する確認要求情報送信手段と、確認要求情報の送信に応じて情報配信サーバから稼働状態に関する状態情報を受信する状態情報受信手段と、状態情報を参照し、情報配信サーバが停止中である場合に、携帯端末の通信事業者が管理する推奨配信サーバに対し、アプリケーションの代替となる推奨アプリケーションを要求する代替要求情報を送信する代替要求情報送信手段と、代替要求情報の送信に応じて推奨配信サーバから推奨アプリケーションに関する推奨情報を受信する推奨情報受信手段と、推奨情報を参照し、表示手段においてアプリケーションのアイコンの領域内に推奨アプリケーションのアイコンを表示する表示制御手段と、を備える。
【０００７】
この携帯端末では、アプリケーションを提供する情報配信サーバにサービスが稼働中か否かの確認要求情報を送信し、サービスが停止中である場合に推奨配信サーバから推奨アプリケーションに関する推奨情報を受信する。そして、この携帯端末では、受信した推奨情報に基づき、表示手段においてアプリケーションのアイコンの領域内に推奨アプリケーションのアイコンを表示する。したがって、この携帯端末では、ユーザの操作を伴わずにアプリケーションが利用不能であること及び推奨アプリケーションを報知できる。
【０００８】
また、表示制御手段は、アプリケーションのアイコンの表側の一部に推奨アプリケーションのアイコンを表示してもよい。この場合、推奨アプリケーションのアイコンの表示を直感的にユーザに報知できる。
【０００９】
また、表示制御手段は、アプリケーションのアイコンの一部を裏面表示し、当該裏面に推奨アプリケーションのアイコンを表示してもよい。この場合、推奨アプリケーションのアイコンの表示を直感的にユーザに報知できる。
【００１０】
また、表示制御手段は、アプリケーションのアイコンと推奨アプリケーションのアイコンとを所定時間ごとに切り替えて表示してもよい。この場合、推奨アプリケーションのアイコンの表示を直感的にユーザに報知できる。
【００１１】
また、表示手段は、タッチパネルディスプレイであり、表示制御手段は、アプリケーションのアイコンにフリック入力がなされたときにアプリケーションのアイコンと推奨アプリケーションのアイコンとを切り替えてもよい。この場合、ユーザが容易に推奨アプリケーションのアイコンを確認することができる。
【００１２】
また、表示制御手段は、推奨アプリケーションのアイコンを表示する際、アプリケーションのアイコンをグレーアウト表示してもよい。この場合、アプリケーションを提供する情報配信サーバが停止中であることを直感的にユーザに報知できる。
【００１３】
また、本発明に係るアイコン表示方法は、アプリケーションに対応するアイコンを表示する表示手段を備えた携帯端末におけるアイコン表示方法であって、確認要求情報送信手段が、アプリケーションを提供する情報配信サーバに対し、サービスが稼働中か否かの確認を要求する確認要求情報を送信する確認要求情報ステップと、状態情報受信手段が、確認要求情報の送信に応じて情報配信サーバから稼働状態に関する状態情報を受信する状態情報受信ステップと、代替要求情報送信手段が、状態情報を参照し、情報配信サーバが停止中である場合に、携帯端末の通信事業者が管理する推奨配信サーバに対し、アプリケーションの代替となる推奨アプリケーションを要求する代替要求情報を送信する代替要求情報送信ステップと、推奨情報受信手段が、代替要求情報の送信に応じて推奨配信サーバから推奨アプリケーションに関する推奨情報を受信する推奨情報受信ステップと、表示制御手段が、推奨情報を参照し、表示手段においてアプリケーションのアイコンの領域内に推奨アプリケーションのアイコンを表示する表示制御ステップと、を備える。
【００１４】
このアイコン表示方法では、アプリケーションを提供する情報配信サーバにサービスが稼働中か否かの確認要求情報を送信し、サービスが停止中である場合に推奨配信サーバから推奨アプリケーションに関する推奨情報を受信する。そして、受信した推奨情報に基づき、表示手段においてアプリケーションのアイコンの領域内に推奨アプリケーションのアイコンを表示する。したがって、このアイコン表示方法では、ユーザの操作を伴わずにアプリケーションが利用不能であること及び推奨アプリケーションを報知できる。
【発明の効果】
【００１５】
本発明によれば、ユーザの操作を伴わずにアプリケーションが利用不能であること及び推奨アプリケーションを報知できる。
【図面の簡単な説明】
【００１６】
【図１】本発明の一実施形態に係る携帯端末を含む情報配信システムの機能的な構成要素を示すブロック図である。
【図２】図１に示した携帯端末の表示部に表示される画面の一例を示す図である。
【図３】表示制御部によるアイコンの表示例を示す図である。
【図４】図１に示した情報配信システムの動作を示すシーケンスである。
【発明を実施するための形態】
【００１７】
以下、図面を参照しながら、本発明に係る携帯端末及びアイコン表示方法の好適な実施形態について詳細に説明する。
【００１８】
図１は、本発明の一実施形態に係る携帯端末を含む情報配信システムの機能的な構成要素を示すブロック図である。同図に示すように、情報配信システム１は、ユーザが所有する携帯端末１０と、情報配信サーバ２０と、推奨配信サーバ３０とを含んで構成されている。
【００１９】
携帯端末１０と情報配信サーバ２０とは、例えば携帯端末１０における通信サービスを提供する通信事業者によって管理されるネットワークＮを介して相互に情報通信可能となっている。また、携帯端末１０と推奨配信サーバ３０とは、同ネットワークＮを介して相互に情報通信可能となっている。この情報配信システム１は、ユーザが携帯端末１０にダウンロードしたアプリケーションのサービスが停止中である場合に、当該アプリケーションの代替となるアプリケーションをユーザに推奨する機能を有している。
【００２０】
携帯端末１０は、物理的には、ＣＰＵといった演算装置、ＲＡＭ、ＲＯＭといった記憶装置、プッシュボタン等の操作部、ネットワークカードといった通信モジュールなどを備えている。携帯端末１０は、通話機能に加え、ＷＥＢページに接続して閲覧する機能や、電子メール送信機能を含む各種データ通信機能等を有している。携帯端末１０の各機能は、ＣＰＵ、ＲＡＭ等のハードウェア上に所定のコンピュータソフトウェアを読み込ませることにより、ＣＰＵの制御下で通信モジュールや操作部などを動作させ、ＲＡＭ等のデータの読み出し及び書き込みを行うことで実現される。
【００２１】
携帯端末１０は、図１に示すように、機能的な構成要素として、確認要求情報送信部（確認要求情報送信手段）１０１と、状態情報受信部（状態情報受信手段）１０２と、代替要求情報送信部（代替要求情報送信手段）１０３と、推奨情報受信部（推奨情報受信手段）１０４と、表示制御部（表示制御手段）１０５と、表示部（表示手段）１０６とを有している。
【００２２】
確認要求情報送信部１０１は、携帯端末１０にインストール済みのアプリケーションのサービスが稼働中か否かの確認を要求する確認要求情報を送信する部分である。確認要求情報送信部１０１は、例えば予め設定されたタイミングでアプリケーションを提供する情報配信サーバ２０に対し、ネットワークＮを介して確認要求情報を定期的に送信する。確認要求情報の送信のタイミングは、携帯端末１０側で自動で設定されたものであってもよく、ユーザ設定によるものであってもよい。
【００２３】
状態情報受信部１０２は、確認要求情報の送信に応じて情報配信サーバ２０から稼働状態に関する状態情報を受信する部分である。状態情報受信部１０２は、受け取った状態情報を代替要求情報送信部１０３に出力する。
【００２４】
代替要求情報送信部１０３は、アプリケーションの代替となる推奨アプリケーションを要求する代替要求情報を送信する部分である。代替要求情報送信部１０３は、状態情報受信部１０２から受け取った状態情報を参照し、情報配信サーバ２０が稼働中であるか否かを判断する。代替要求情報送信部１０３は、情報配信サーバ２０が稼働中であると判断した場合には、特段の処理を行わない。一方、代替要求情報送信部１０３は、情報配信サーバ２０が停止中であると判断した場合には、推奨配信サーバ３０に対し、ネットワークＮを介して代替要求情報を送信する。
【００２５】
推奨情報受信部１０４は、代替要求情報の送信に応じて推奨配信サーバ３０から推奨アプリケーションに関する推奨情報を受信する部分である。推奨情報受信部１０４は、受け取った推奨情報を表示制御部１０５に出力する。
【００２６】
表示制御部１０５は、表示部１０６の表示を制御する部分である。表示制御部１０５は、推奨情報受信部１０４から推奨情報を受け取った場合に、表示部１０６においてアプリケーションのアイコンの領域内に推奨アプリケーションのアイコンを表示する。
【００２７】
図２は、表示部１０６に表示される画面の一例を示す図である。同図に示す例では、表示部１０６は、タッチパネルディスプレイによって構成されており、画面上部には、例えば携帯端末の通信状態や現在時刻などが表示される情報バーが表示され、画面の中央部には、携帯端末１０にインストールされているアプリケーションのアイコン１１が例えばマトリクス状に配列されている。
【００２８】
図３は、表示制御部１０５によるアイコン１１の表示例を示す図である。表示制御部１０５が推奨情報受信部１０４から推奨情報を受け取った場合、例えば図３（ａ）に示すように、サービスが停止中であるアプリケーションのアイコン１１Ａがグレーアウト表示されると共に、アイコン１１Ａの隅部（ここでは右上隅部）に推奨アプリケーションのアイコン１１Ｂが矩形に表示される。
【００２９】
また、例えば図３（ｂ）に示すように、サービスが停止中であるアプリケーションのアイコン１１Ａがグレーアウト表示されると共に、アイコン１１Ａの一部が裏面表示され、当該裏面に推奨アプリケーションのアイコン１１Ｂが表示される形態であってもよい。
【００３０】
また、例えば図３（ｃ）に示すように、サービスが停止中であるアプリケーションのアイコン１１Ａがグレーアウト表示されると共に、アイコン１１Ａを縦に分割した領域に推奨アプリケーションのアイコン１１Ｂが表示され、アイコン１１Ａにユーザによるフリック入力がなされたときにアイコン１１Ａをフリック方向にスライドさせてアイコン１１Ｂと切り替える形態であってもよい。
【００３１】
そのほか、アプリケーションのアイコン１１Ａと推奨アプリケーションのアイコン１１Ｂとが、アイコン１１Ａの元々の領域内で所定時間ごとに切り替えられて表示される形態であってもよい。
【００３２】
情報配信サーバ２０は、例えば携帯端末１０にインストールされているアプリケーションを提供するサーバである。情報配信サーバ２０は、物理的には、ＣＰＵ、メモリ、通信インタフェイス、ハードディスクといった格納部、ディスプレイといった表示部、等を備えたコンピュータシステムである。情報配信サーバ２０は、図１に示すように、機能的な構成要素として、例えば確認要求情報受信部２０１と、状態情報送信部２０２とを有している。
【００３３】
確認要求情報受信部２０１は、携帯端末１０から確認要求情報を受信する部分である。確認要求情報受信部２０１は、受信した確認要求情報を状態情報送信部２０２に出力する。
【００３４】
状態情報送信部２０２は、携帯端末１０に状態情報を送信する部分である。状態情報送信部２０２は、情報配信サーバ２０によるサービスが稼働中であるか、メンテナンス等によってサービスが停止中であるかを示す状態情報を保有している。状態情報は、情報配信サーバ２０によって随時更新される。確認要求情報受信部２０１から確認要求情報を受け取った場合に、携帯端末１０に対し、ネットワークＮを介して状態情報を送信する。
【００３５】
推奨配信サーバ３０は、例えば携帯端末１０の通信サービスを提供する通信事業者が管理するサーバである。推奨配信サーバ３０は、物理的には、ＣＰＵ、メモリ、通信インタフェイス、ハードディスクといった格納部、ディスプレイといった表示部、等を備えたコンピュータシステムである。推奨配信サーバ３０は、図１に示すように、機能的な構成要素として、例えば代替要求情報受信部３０１と、推奨情報送信部３０２とを有している。
【００３６】
代替要求情報受信部３０１は、携帯端末１０から代替要求情報を受信する部分である。代替要求情報受信部３０１は、受信した代替要求情報を推奨情報送信部３０２に出力する。
【００３７】
推奨情報送信部３０２は、携帯端末１０に推奨情報を送信する部分である。推奨情報送信部３０２は、例えば事前の登録により、アプリケーションごとの代替アプリケーションを関連付けて保有している。推奨情報送信部３０２は、代替要求情報受信部３０１から代替要求情報を受け取ると、サービスが停止中であるアプリケーションに関連付けられている代替アプリケーションを推奨アプリケーションとして抽出する。そして、推奨情報送信部３０２は、携帯端末１０に対し、ネットワークＮを介して推奨アプリケーションの推奨情報を送信する。推奨情報には、例えば推奨アプリケーションのアイコン表示に用いられる画像データが含まれる。
【００３８】
続いて、上述した情報配信システム１の動作について説明する。図４は、情報配信システム１の動作を示すシーケンスである。
【００３９】
同図に示すように、情報配信システム１では、携帯端末１０から情報配信サーバ２０に対して、サービスが稼働中か否かの確認を要求する確認要求情報が定期的に送信される（ステップＳ０１）。次に、確認要求情報を受信した情報配信サーバ２０から携帯端末１０に対して、稼働状態に関する状態情報が送信される（ステップＳ０２）。
【００４０】
状態情報を受信した携帯端末１０では、情報配信サーバ２０が稼働中であるか否かが判断され、情報配信サーバ２０が停止中である場合には、携帯端末１０から推奨配信サーバ３０に対して、サービスが停止中のアプリケーションの代替となる推奨アプリケーションを要求する代替要求情報が送信される（ステップＳ０３）。
【００４１】
そして、代替要求情報を受信した推奨配信サーバ３０から携帯端末１０に対して、推奨アプリケーションに関する推奨情報が送信され（ステップＳ０４）、推奨情報を受信した携帯端末１０では、サービスが停止しているアプリケーションのアイコンの領域内に推奨アプリケーションのアイコンが表示される（ステップＳ０５）。
【００４２】
推奨アプリケーションの表示後、携帯端末１０においてユーザによる推奨アプリケーションのアイコンの操作を受け付けた場合（ステップＳ０６）、携帯端末１０から推奨配信サーバ３０に対して、例えば推奨アプリケーションへの接続を要求する接続要求情報が送信され（ステップＳ０７）、これに応じて推奨配信サーバ３０から携帯端末１０に対して、例えば推奨アプリケーションのダウンロードサイトへのリンク情報が送信される（ステップＳ０８）。
【００４３】
以上説明したように、携帯端末１０では、アプリケーションを提供する情報配信サーバ２０にサービスが稼働中か否かの確認要求情報を送信し、サービスが停止中である場合に推奨配信サーバ３０から推奨アプリケーションに関する推奨情報を受信する。そして、携帯端末１０では、受信した推奨情報に基づき、表示部１０６においてアプリケーションのアイコン１１Ａの領域内に推奨アプリケーションのアイコン１１Ｂを表示する。したがって、携帯端末１０では、ユーザの操作を伴わずにアプリケーションが利用不能であること及び推奨アプリケーションを報知できる。
【００４４】
また、携帯端末１０では、アプリケーションのアイコン１１Ａの表側の一部に推奨アプリケーションのアイコン１１Ｂを表示する形態（図３（ａ）参照）、アプリケーションのアイコン１１Ａの一部を裏面表示し、当該裏面に推奨アプリケーションのアイコン１１Ｂを表示する形態（図３（ｂ）参照）、アプリケーションのアイコン１１Ａにフリック入力がなされたときにアプリケーションのアイコン１１Ａと推奨アプリケーションのアイコン１１Ｂとを切り替える形態（図３（ｃ）参照）、及びアプリケーションのアイコン１１Ａと推奨アプリケーションのアイコン１１Ｂとを所定時間ごとに切り替える形態などを採る。このような表示方法により、推奨アプリケーションのアイコン１１Ｂの表示を直感的にユーザに報知できる。
【００４５】
また、携帯端末１０では、推奨アプリケーションのアイコン１１Ｂを表示部１０６に表示する際、アプリケーションのアイコン１１Ａをグレーアウト表示している。これにより、アプリケーションを提供する情報配信サーバ２０が停止中であることを直感的にユーザに報知できる。
【００４６】
本発明は、上記実施形態に限られるものではない。例えば上記実施形態では、確認要求情報の送信に応じて情報配信サーバ２０から状態情報を受信しているが、確認要求情報の送信から一定時間が経過しても情報配信サーバ２０から状態情報の送信がなかった場合に、情報配信サーバ２０が停止中であると判断し、推奨配信サーバ３０に代替要求情報を送信するようにしてもよい。
【００４７】
また、上記実施形態では、推奨配信サーバ３０側で事前の登録によってアプリケーションごとの代替アプリケーションを関連付けて保有しているが、代替要求情報の送信時にサービスが停止中であるアプリケーションの属性情報（アプリケーションの種類等を示す情報など）を推奨配信サーバ３０に送信し、当該属性情報に基づいて推奨配信サーバ３０が外部の情報配信サーバから類似のアプリケーションを検索するようにしてもよい。
【符号の説明】
【００４８】
１０…携帯端末、１１（１１Ａ，１１Ｂ）…アイコン、２０…情報配信サーバ、３０…推奨配信サーバ、１０１…確認要求情報送信部（確認要求情報送信手段）、１０２…状態情報受信部（状態情報受信手段）、１０３…代替要求情報送信部（代替要求情報送信手段）、１０４…推奨情報受信部（推奨情報受信手段）、１０５…表示制御部（表示制御手段）、１０６…表示部（表示手段）。
【図１】
2015201076.tif 000003
【図２】
2015201076.tif 000004
【図３】
2015201076.tif 000005
【図４】
2015201076.tif 000006